(57)【要約】      （修正有）【課題】組立式家具における二本の水平方向の棒状構成部材を連結体を介して容易、かつ、確実に相互に固定するようにした組立式家具用の連結手段を提供する。【解決手段】組立式家具における水平方向の棒状構成部材３における一端３ａを受ける第一受け部５と組立式家具における別の水平方向の棒状構成部材７における一端７ａを受ける第二受け部９とを備えた連結体１を有し、連結体における第一受け部と第二受け部とにはそれぞれ木ねじを挿通させる挿通孔１５、１７を備えさせ、挿通孔には木ねじの頭部を受ける頭部受け部を備えさせてなる連結体１を有し、各棒状構成部材の一端をそれぞれ第一受け部と第二受け部とに受けさせた状態で木ねじを外方より当該各挿通孔に挿通して各棒状構成部材に締め付けることにより各棒状構成部材を連結体に固定するようにする。【選択図】図１
0003196064.tif 000002
【実用新案登録請求の範囲】
【請求項１】
組立式家具における水平方向の棒状構成部材における一端を受ける第一受け部と該組立式家具における別の水平方向の棒状構成部材における一端を受ける第二受け部とを備えた連結体を有し、
該連結体における該第一受け部と該第二受け部とにはそれぞれ木ねじを挿通させる挿通孔を備えさせ、該挿通孔には木ねじの頭部を受ける頭部受け部を備えさせ、
各棒状構成部材の一端をそれぞれ該第一受け部と該第二受け部とに受けさせた状態で木ねじを外方より当該各挿通孔に挿通して各棒状構成部材に締め付けることにより各棒状構成部材を該連結体に固定するようにしたことを特徴とする組立式家具用の連結手段。
【請求項２】
前記連結体は、該連結体を補強するための補強用支持体内に挿脱自在であることを特徴とする請求項１に記載の組立式家具用の連結手段。
【請求項３】
前記補強用支持体は、前記連結体を受ける連結体収納部を有し、該連結体収納部は、上方に開口すると共に該連結体における第一受け部と第二受け部とに対応する棒状構成部材挿通部を有し、該連結体収納部の内面にはそれぞれ上端を開口し、下方に向かって徐々に細くなる複数の第一支持凹部を形成し、該連結体の外面には下方に向かって徐々に細くなる複数の第一挿嵌凸部を形成し、該連結体を該連結体収納部に上方より挿嵌することにより該連結体の各第一挿嵌凸部が該連結体収納部の対応第一支持凹部に挿嵌され、以て該連結体が該連結体収納部内に固定されるようにしたことを特徴とする請求項２に記載の組立式家具用の連結手段。
【請求項４】
前記連結体は、組立式家具における垂直方向の棒状構成部材を支持する垂直棒状構成部材支持体に対し着脱自在であることを特徴とする請求項１に記載の組立式家具用の連結手段。
【請求項５】
前記連結体は、前記垂直棒状構成部材支持体を受ける垂直棒状構成部材支持体収納部を有し、該垂直棒状構成部材支持体収納部は、上方に開口すると共に内面にはそれぞれ上端を開口し、下方に向かって徐々に細くなる複数の第二支持凹部を形成し、該垂直棒状構成部材支持体の外面には下方に向かって徐々に細くなる複数の第二挿嵌凸部を形成し、該垂直棒状構成部材支持体を該垂直棒状構成部材支持体収納部に上方より挿嵌することにより該垂直棒状構成部材支持体の各第二挿嵌凸部が該連結体の対応第二支持凹部に挿嵌され、以て該垂直棒状構成部材支持体が該連結体の垂直棒状構成部材支持体収納部内に固定されるようにしたことを特徴とする請求項４に記載の組立式家具用の連結手段。
【考案の詳細な説明】
【技術分野】
【０００１】
本考案は、組立式家具用の連結手段に関するものであり、更に詳しくは、組立式家具における構成部材と構成部材とを連結する手段に係るものである。
【背景技術】
【０００２】
近年、組立式家具がしばしば販売されている。組立式家具は、家具の構成部材と該構成部材を連結するための連結手段等とが組立てられていない状態でセットとして販売され、購入者が説明書等を参考に自ら構成部材を連結手段により組立てるようにしたものである。
【０００３】
このような組立式家具用の連結手段として、本出願人は、実用新案登録第３１７７２１９号公報に示すように、下記の連結手段（以下「従来の組立式家具用の連結手段」という。）を提供している。
【０００４】
すなわち、従来の組立式家具用の連結手段は、
組立式家具における一方の構成部材に固定される第一連結体と、当該一方の構成部材に対応する他方の構成部材に固定される第二連結体とよりなり、
該第一連結体は木ねじ用の下穴を備え、該第二連結体は該木ねじ用の案内穴を該下穴に連通するように備え、該案内穴は該木ねじの頭部を受ける頭部受け部を備え、該案内穴は外方からねじ回しにより該木ねじを締め付けることができるように該第二連結体の外部に開口していることを特徴とするものである。
【先行技術文献】
【特許文献】
【０００５】
【特許文献１】実用新案登録第３１７７２１９号公報
【考案の概要】
【考案が解決しようとする課題】
【０００６】
従来の組立式家具用の連結手段は、組立式家具における一方の構成部材に固定される第一連結体と、他方の構成部材に固定される第二連結体とを木ねじに  より相互に固着するようにしたものであり、各構成部材を第一連結体又は第二連結体に木ねじにより固着するようにしたものではない。また、各構成部材は垂直方向又は水平方向の板状体である。
【０００７】
本考案は、組立式家具における二本の水平方向の棒状構成部材を連結体を介して容易、かつ、確実に相互に固定するようにした組立式家具用の連結手段を提供しようとしてなされたものである。
【課題を解決するための手段】
【０００８】
上記課題を解決するために、本考案は、下記の組立式家具用の連結手段を提供する。
【０００９】
（１）組立式家具における水平方向の棒状構成部材における一端を受ける第一受け部と該組立式家具における別の水平方向の棒状構成部材における一端を受ける第二受け部とを備えた連結体を有し、
該連結体における該第一受け部と該第二受け部とにはそれぞれ木ねじを挿通させる挿通孔を備えさせ、該挿通孔には木ねじの頭部を受ける頭部受け部を備えさせ、
各棒状構成部材の一端をそれぞれ該第一受け部と該第二受け部とに受けさせた状態で木ねじを外方より当該各挿通孔に挿通して各棒状構成部材に締め付けることにより各棒状構成部材を該連結体に固定するようにしたことを特徴とする組立式家具用の連結手段（請求項１）。
【００１０】
（２）前記連結体は、該連結体を補強するための補強用支持体内に挿脱自在である（請求項２）。
【００１１】
（３）前記補強用支持体は、前記連結体を受ける連結体収納部を有し、該連結体収納部は、上方に開口すると共に該連結体における第一受け部と第二受け部とに対応する棒状構成部材挿通部を有し、該連結体収納部の内面にはそれぞれ上端を開口し、下方に向かって徐々に細くなる複数の第一支持凹部を形成し、該連結体の外面には下方に向かって徐々に細くなる複数の第一挿嵌凸部を形成し、該連結体を該連結体収納部に上方より挿嵌することにより該連結体の各第一挿嵌凸部が該連結体収納部の対応第一支持凹部に挿嵌され、以て該連結体が該連結体収納部内に固定されるようになす（請求項３）。
【００１２】
（４）前記連結体は、組立式家具における垂直方向の棒状構成部材を支持する垂直棒状構成部材支持体に対し着脱自在である（請求項４）。
【００１３】
（５）前記連結体は、前記垂直棒状構成部材支持体を受ける垂直棒状構成部材支持体収納部を有し、該垂直棒状構成部材支持体収納部は、上方に開口すると共に内面にはそれぞれ上端を開口し、下方に向かって徐々に細くなる複数の第二支持凹部を形成し、該垂直棒状構成部材支持体の外面には下方に向かって徐々に細くなる複数の第二挿嵌凸部を形成し、該垂直棒状構成部材支持体を該垂直棒状構成部材支持体収納部に上方より挿嵌することにより該垂直棒状構成部材支持体の各第二挿嵌凸部が該連結体の対応第二支持凹部に挿嵌され、以て該垂直棒状構成部材支持体が該連結体の垂直棒状構成部材支持体収納部内に固定されるようになす（請求項５）。
【考案の効果】
【００１４】
[請求項１の考案]
組立式家具における水平方向の棒状構成部材における一端を第一受け部に受けさせ、該組立式家具における別の水平方向の棒状構成部材における一端を第二受け部に受けさせた状態で、木ねじにより各棒状構成部材を連結体に固定するようにしているため、各棒状構成部材は連結体を介して容易、かつ、確実に相互に固定される。
【００１５】
[請求項２の考案]
連結体は、該連結体を補強するための補強用支持体内に挿脱自在であるため、該連結体は十分に補強される。
【００１６】
[請求項３の考案]
連結体は、補強用支持部材の連結体収納部に上方より挿嵌することにより該連結体の各第一挿嵌凸部が該連結体収納部の対応第一支持凹部に挿嵌され、以て該連結体が該連結体収納部内に確実に固定される。各第一挿嵌凸部と各第一支持凹部は、それぞれ下方に向かって徐々に細くなるように形成されているため、各第一挿嵌凸部は各第一支持凹部内に強力に、かつ、分離可能に挿嵌される。
【００１７】
[請求項４の考案]
連結体は、組立式家具における垂直方向の棒状構成部材を支持する垂直棒状構成部材支持体に対し着脱自在であるため、該連結体に水平方向の二本の棒状構成部材の一端をそれぞれ固定すると共に、垂直方向の棒状構成部材を支持する垂直棒状構成部材支持体を該連結体に取り付けることにより、水平方向の二本の棒状構成部材と垂直方向の棒状構成部材とを該連結体と垂直棒状構成部材支持体とを介して相互に分離自在に固定することができる。
【００１８】
[請求項５の考案]
垂直棒状構成部材支持体は、連結体の垂直棒状構成部材支持体収納部に上方より挿嵌することにより該垂直棒状構成部材支持体の各第二挿嵌凸部が該連結体の各第二支持凹部に挿嵌され、以て該垂直棒状構成部材支持体が該垂直棒状構成部材支持体収納部内に確実に固定される。各第二挿嵌凸部と各第二支持凹部は、それぞれ下方に向かって徐々に細くなるように形成されているため、各第二挿嵌凸部は各第二支持凹部内に強力に、かつ、分離可能に挿嵌される。
【図面の簡単な説明】
【００１９】
【図１】図１は、連結体と補強用支持体とを示す斜視図である。
【図２】図２は、組立式家具における水平方向の二本の棒状構成部材を取り付けた連結体を補強用支持体内に挿嵌した状態を示す斜視図である。
【図３】図３は、各棒状構成部材の一端をそれぞれ連結体の第一受け部と第二受け部とに受けさせた状態で木ねじを外方より各挿通孔に挿通して各棒状構成部材に締め付けている状態を示す断面図である。
【図４】図４は、第一挿嵌凸部と各第一支持凹部とを示す一部断面正面図である。
【図５】図５は、別の連結体と垂直棒状構成部材支持体とを示す斜視図である。
【図６】図６は、垂直棒状構成部材支持体を当該別の連結体に取り付けた状態を示す平面図である。
【図７】図７は、当該別の連結体に棒状構成部材を固定した状態を示す一部断面平面図である。
【図８】図８は、当該別の連結体の側面図である。
【図９】図９は、垂直棒状構成部材支持体の平面図である。
【図１０】図１０は、垂直棒状構成部材支持体を示す正面図である。
【図１１】図１１は、垂直棒状構成部材支持体を当該別の連結体に取り付けた状態を示す正面図である。
【図１２】図１２は、垂直方向の棒状構成部材を示す正面図である。
【図１３】図１３は、同上棒状構成部材の底面図である。
【考案を実施するための形態】
【００２０】
まず、図１〜図４に示す事例について説明する。
【００２１】
本考案による組立式家具用の連結手段は、組立式家具における水平方向の２本の棒状構成部材を連結するための連結体１を有する。
【００２２】
連結体１は、組立式家具における水平方向の棒状構成部材３における一端３ａを受ける第一受け部５と該組立式家具における別の水平方向の棒状構成部材７における一端７ａを受ける第二受け部９とを備え、該第一受け部５と該第二受け部９とにはそれぞれ木ねじ１１、１３を挿通させる挿通孔１５、１７を備えさせ、該挿通孔１５、１７には木ねじ１１、１３の頭部１１ａ、１３ａを受ける頭部受け部１５ａ、１７ａを備えさせてなる。
【００２３】
連結体１は、好ましくは合成樹脂により一体的に形成する。第一受け部５と第二受け部９とは、相互に連通させると共に下端を開口している。挿通孔１５、１７は、一例として、第一受け部５と第二受け部９とにそれぞれ２個ずつ形成する。
【００２４】
各棒状構成部材３、７の一端３ａ、７ａをそれぞれ該第一受け部５と該第二受け部９とに受けさせた状態で木ねじ１１、１３を外方より当該各挿通孔１５、１７に挿通して各棒状構成部材３、７に締め付けることにより各棒状構成部材３、７を該連結体１に固定するようになす。このとき、木ねじ１１、１３の頭部１１ａ、１３ａは、挿通孔１５、１７の頭部受け部１５ａ、１７ａに密接する。
【００２５】
連結体１は、該連結体１を補強するための補強用支持体２１内に挿脱自在である。
【００２６】
補強用支持体２１は、連結体１を受ける連結体収納部２３を有する。連結体収納部２３は、上方に開口すると共に連結体１における第一受け部５と第二受け部９とに対応する棒状構成部材挿通部２５、２７を有する。連結体収納部２３の内面にはそれぞれ上端を開口し、下方に向かって徐々に細くなる複数の第一支持凹部２９ａ、３１ａ、３３ａを形成し、連結体１の外面には下方に向かって徐々に細くなる複数の第一挿嵌凸部２９ｂ、３１ｂ、３３ｂを形成する。連結体１を連結体収納部２３に上方より挿嵌することにより該連結体１の各第一挿嵌凸部２９ｂ、３１ｂ、３３ｂが該連結体収納部２３の対応第一支持凹部２９ａ、３１ａ、３３ａに挿嵌され、以て該連結体１が該連結体収納部２３内に固定されるようになす。
【００２７】
次に、図５〜図１３に示す事例について説明する。
【００２８】
この事例においては、上記図１〜図４に示す事例に対応する部分、部材又は部品については、上記図１〜図４に示す事例において使用した符号に「’」付して示す。
【００２９】
連結体１’は、次の点において上記図１〜図４に示す事例と共通する。
すなわち、連結体１’は、組立式家具における水平方向の棒状構成部材３’における一端３ａ’を受ける第一受け部５’と該組立式家具における別の水平方向の棒状構成部材７’における一端７ａ’を受ける第二受け部９’とを備え、該第一受け部５’と該第二受け部９’とにはそれぞれ木ねじ１１’、１３’（１１’は図示せず。）を挿通させる挿通孔１５’、１７’を備えさせ、該挿通孔１５’、１７’には木ねじ１１’、１３’の頭部１１ａ’、１３ａ’（１１ａ’は図示せず。）を受ける頭部受け部１５ａ’、１７ａ’を備えさせてなるものであり、各棒状構成部材３’、７’の一端３ａ’、７ａ’をそれぞれ該第一受け部５’と該第二受け部９’とに受けさせた状態で木ねじ１１’、１３’を外方より当該各挿通孔１５’、１７’に挿通して各棒状構成部材３’、７’に締め付けることにより各棒状構成部材３’、７’を該連結体１’に固定するようにした点においては、上記図１〜図４に示す事例と共通する。また、上記図１〜図４に示す事例と同様に、挿通孔１５’、１７’は、第一受け部５’と第二受け部９’とにそれぞれ例えば２個ずつ形成する。連結体１’は、上記図１〜図４に示す事例と同様に、好ましくは合成樹脂により一体的に形成する。
【００３０】
なお、図５〜図１３に示す事例においては、連結体１’の第一受け部５’と第二受け部９’とは、相互に独立しており、下端に底部３５を備えている。
【００３１】
図５〜図１３に示す事例においては、連結体１’は、組立式家具における垂直方向の棒状構成部材３７を支持する垂直棒状構成部材支持体３９に対し着脱自在である。
【００３２】
連結体１’は、垂直棒状構成部材支持体３９を受ける垂直棒状構成部材支持体収納部４１を有する。垂直棒状構成部材支持体収納部４１は、上方に開口すると共に内面にはそれぞれ上端を開口し、下方に向かって徐々に細くなる複数の第二支持凹部４３ａ、４５ａ、４７ａを形成する。垂直棒状構成部材支持体３９の外面には下方に向かって徐々に細くなる複数の第二挿嵌凸部４３ｂ、４５ｂ、４７ｂを形成する。
【００３３】
垂直棒状構成部材支持体３９を垂直棒状構成部材支持体収納部４１に上方より挿嵌することにより該垂直棒状構成部材支持体３９の各第二挿嵌凸部４３ｂ、４５ｂ、４７ｂが連結体１’の対応第二支持凹部４３ａ、４５ａ、４７ａに挿嵌され、以て垂直棒状構成部材支持体３９が連結体１’の垂直棒状構成部材支持体収納部４１内に固定されるようになす。
【００３４】
垂直方向の棒状構成部材３７は、図９〜図１３に示すように、一例として中空の下端部３７ａを垂直棒状構成部材支持体３９に外嵌する。垂直棒状構成部材支持体３９は、一例として図５、図１０、図１１に示すように、垂直方向の棒状構成部材３７に対する抜け止め防止用の水平方向の溝４９を外面に備えている。
【符号の説明】
【００３５】
１  連結体
３  水平方向の棒状構成部材
３ａ  一端
５  第一受け部
７  水平方向の棒状構成部材
７ａ  一端
９  第二受け部
１１  木ねじ
１１ａ  頭部
１３  木ねじ
１３ａ  頭部
１５  挿通孔
１５ａ  頭部受け部
１７  挿通孔
１７ａ  頭部受け部
２１  補強用支持体
２３  連結体収納部
２５  棒状構成部材挿通部
２７  棒状構成部材挿通部
２９ａ  第一支持凹部
２９ｂ  第一挿嵌凸部
３１ａ  第一支持凹部
３１ｂ  第一挿嵌凸部
３３ａ  第一支持凹部
３３ｂ  第一挿嵌凸部
１’連結体
３’  水平方向の棒状構成部材
３ａ’  一端
５’  第一受け部
７’  水平方向の棒状構成部材
７ａ’  一端
９’  第二受け部
１１’  木ねじ
１１ａ’  頭部
１３’  木ねじ
１３ａ’  頭部
１５’  挿通孔
１５ａ’  頭部受け部
１７’  挿通孔
１７ａ’  頭部受け部
３５  底部
３７  垂直方向の棒状構成部材
３７ａ  下端部
３９  垂直棒状構成部材支持体
４１  垂直棒状構成部材支持体収納部
４３ａ  第二支持凹部
４３ｂ  第二挿嵌凸部
４５ａ  第二支持凹部
４５ｂ  第二挿嵌凸部
４７ａ  第二支持凹部
４７ｂ  第二挿嵌凸部
４９  水平方向の溝
【図１】
0003196064.tif 000003
【図２】
0003196064.tif 000004
【図３】
0003196064.tif 000005
【図４】
0003196064.tif 000006
【図５】
0003196064.tif 000007
【図６】
0003196064.tif 000008
【図７】
0003196064.tif 000009
【図８】
0003196064.tif 000010
【図９】
0003196064.tif 000011
【図１０】
0003196064.tif 000012
【図１１】
0003196064.tif 000013
【図１２】
0003196064.tif 000014
【図１３】
0003196064.tif 000015